(57)【要約】【課題】機器が落下したときの衝撃を緩和する際に跳ね返しがなく、機器の損傷を防ぐことができるようにする。【解決手段】機器１０が取り付けられた天井９（または壁）と機器１０との間を連結するワイヤー１を備え、ワイヤー１の途中に、機器１０が落下したときにワイヤー１にかかる衝撃荷重よりもばね限界値が小さい湾曲した板ばね４を備え、板ばね４には、両端部にそれぞれワイヤー１の通し孔５ａ，５ｂが形成され、ワイヤー１は、板ばね４の湾曲した突出側の曲面４ｃに沿うように両通し孔５ａ，５ｂに挿通されているものである。【選択図】図１
2014229380.tif 000002
【特許請求の範囲】
【請求項１】
機器が取り付けられた天井または壁と前記機器との間を連結するワイヤーを備えた落下防止装置であって、
前記ワイヤーの途中に、前記機器が落下したときに前記ワイヤーにかかる衝撃荷重よりもばね限界値が小さい湾曲した板ばねを備え、
前記板ばねには、両端部にそれぞれ前記ワイヤーの通し孔が形成され、
前記ワイヤーは、前記板ばねの湾曲した突出側の曲面に沿うように前記両通し孔に挿通されていることを特徴とする落下防止装置。
【請求項２】
前記機器が落下したときに前記ワイヤーにかかる衝撃荷重よりも前記板ばね及び前記ワイヤーの張力が大きいことを特徴とする請求項１記載の落下防止装置。
【請求項３】
前記機器は、照明器具であることを特徴とする請求項１又は２記載の落下防止装置。
【発明の詳細な説明】
【技術分野】
【０００１】
本発明は、天井または壁の高所に取り付けた機器、例えば照明器具の落下を防止する落下防止装置に関する。
【背景技術】
【０００２】
この種の落下防止装置は、機器が取り付けられた天井または壁と機器との間を連結するワイヤーを備えている。ワイヤーは、途中に弛みを設けて、弛みの一方の端部と他方の端部との間に、機器が落下したときにワイヤーにかかる衝撃荷重よりもばね限界値が大きい弾性部材（例えばコイルばね）を収縮状態で配置し、機器が落下したときの最下点で生じる衝撃を緩和するようにしている（例えば、特許文献１参照）。
【先行技術文献】
【特許文献】
【０００３】
【特許文献１】特開２００９−２９４４５５号公報（要約、図１）
【発明の概要】
【発明が解決しようとする課題】
【０００４】
しかしながら、機器が落下したときにワイヤーにかかる衝撃荷重よりもばね限界値が大きいコイルばねを衝撃を緩和する手段として用いたものにあっては、機器の質量が大きい場合、その荷重に耐えうるコイルばねを選定することが難しい。
【０００５】
また、機器の落下時には、コイルばねが伸縮して機器そのものが上下移動を繰り返す。そのため、例えば地震に起因して落下した場合、地震の揺れによっては、機器が元の位置よりも高い位置まで跳ね返され、天井に衝突して破損する恐れがあった。
【０００６】
本発明は、前記の課題を解決するためになされたもので、機器が落下したときの衝撃を緩和する際に跳ね返しがなく、機器の損傷を防ぐことができる落下防止装置を提供することを目的とする。
【課題を解決するための手段】
【０００７】
本発明に係る落下防止装置は、機器が取り付けられた天井または壁と機器との間を連結するワイヤーを備えた落下防止装置であって、ワイヤーの途中に、機器が落下したときにワイヤーにかかる衝撃荷重よりもばね限界値が小さい湾曲した板ばねを備え、板ばねには、両端部にそれぞれワイヤーの通し孔が形成され、ワイヤーは、板ばねの湾曲した突出側の曲面に沿うように両通し孔に挿通されているものである。
【発明の効果】
【０００８】
本発明に係る落下防止装置において、機器が落下すると、ワイヤーを介して板ばねには機器からの衝撃荷重がかかる。機器が落下している過程、つまり湾曲した板ばねが塑性変形して延びきるまでの過程においては、板ばねの弾性力が働き、落下の速度を緩める働きをする。板ばねのばね限界値を超えて、塑性域に達すると、板ばねが延びきった状態となり、復元力を失う。そのため、機器は、跳ね返ることなくワイヤーにぶら下がった状態に維持され、ばねの復元力に起因する損傷が防止される。
【図面の簡単な説明】
【０００９】
【図１】本発明の実施形態に係る落下防止装置の側面図である。
【図２】本発明の実施形態に係る落下防止装置の正面図である。
【図３】本発明の実施形態に係る落下防止装置の板ばねの斜視図である。
【図４】本発明の実施形態に係る落下防止装置が適用される機器である照明器具を示す（ａ）は照明器具を下方から見た斜視図、（ｂ）は照明器具を上方から見た斜視図である。
【図５】本発明の実施形態に係る落下防止装置の照明器具支持時の状態を示す側面図である。
【発明を実施するための形態】
【００１０】
図１は本発明の実施形態に係る落下防止装置の側面図である。図２は本発明の実施形態に係る落下防止装置の正面図である。図３は本発明の実施形態に係る落下防止装置の板ばねの斜視図である。図４は本発明の実施形態に係る落下防止装置が適用される機器である照明器具を示す（ａ）は照明器具を下方から見た斜視図、（ｂ）は照明器具を上方から見た斜視図である。
本発明の実施形態に係る落下防止装置は、図１〜図４に示すように、機器すなわち照明器具１０と、照明器具１０が取り付けられた天井または壁（ここでは天井９）との間を連結するワイヤー１を備えている。また、ワイヤー１には、その途中すなわち中間部に、照明器具１０が落下したときに当該ワイヤー１にかかる衝撃荷重よりもばね限界値が小さい湾曲した矩形状の板ばね４が予め取り付けられている。
【００１１】
これを更に詳述する。ワイヤー１は、図１及び図２のように両端部がそれぞれ折り返されて、これら折り返された先端が当該ワイヤー１に重ねられ、それぞれクランプ管２ａ，２ｂでカシメて固定されることで、両端部にそれぞれ輪３ａ，３ｂが形成されている。
【００１２】
板ばね４は、図１〜図３のように両端にそれぞれ平坦部４ａ，４ｂを有し、これら平坦部４ａ，４ｂの間に湾曲して形成されている。また、板ばね４は、各平坦部４ａ，４ｂに、それぞれワイヤー１を通す通し孔５ａ，５ｂが形成されている。各通し孔５ａ，５ｂには、予めワイヤー１に挿通されたスリーブ８ａ，８ｂがカシメによってそれぞれ固定されている。
【００１３】
ワイヤー１は、板ばね４の湾曲した突出側の曲面４ｃに沿うように両通し孔５ａ，５ｂに挿通されるとともに、スリーブ８ａ，８ｂによって両通し孔５ａ，５ｂにカシメ止めされており、板ばね４の自由動を防止している。また、ワイヤー１には、スリーブ８ａ，８ｂ間において弛みを持たせてある。
【００１４】
また、ワイヤー１には、両端部の輪３ａ，３ｂに、それぞれリング状の連結具６ａ，６ｂが取り付けられており、一方の連結具６ａが、天井９にねじ固定した山形の支持具７に連結されている。また、ワイヤー１は、もう一方の連結具６ｂが、同じく天井９に取り付けられた照明器具１０のワイヤー連結孔１１（図４）に連結される。
【００１５】
照明器具１０は、図４のようにその背面（＝上面）に取付用腕１２が設けられており、取付用腕１２には、電源基板を収納した基板ボックス１３が取り付けられている。また、照明器具１０には、取付用腕１２における基板ボックス１３と器具本体との間の重心位置となる部位に、ワイヤー連結孔１１が形成されている。なお、ワイヤー連結孔１１の形成位置は、必ずしもこの位置に限定されるものでなく、他の部位に形成されてもよい。ワイヤー１及び板ばね４の張力は、言うまでもなく機器が落下したときにワイヤー１にかかる衝撃荷重よりも大きい。
【００１６】
以上の構成において、天井９に照明器具１０が取り付けられた状態では、ワイヤー１そのものが天井９と照明器具１０との間においてたるんだ状態にあり、図１に示すように板ばね４も湾曲した形状のままである。
【００１７】
図５は本発明の実施形態に係る落下防止装置の照明器具支持時の状態を示す側面図である。
何らかの原因によって、照明器具１０が天井９から落下すると、照明器具１０が最下点に到達する直前にワイヤー１が照明器具１０の重量で下方に引っ張られる。このとき、ワイヤー１は、板ばね４の湾曲した突出側の曲面４ｃに沿うように弛みを持たせて配設されているとともに、この弛みの両端が各スリーブ８ａ，８ｂによって板ばね４の各通し孔５ａ，５ｂにそれぞれカシメによって固定されている。このため、ワイヤー１が引っ張られると、図５中に矢印で示すように板ばね４には、その弾性力に抗して伸びる方向の力が加わる。つまり、板ばね４は、その弾性力によって照明器具１０の落下速度を緩め、ワイヤー１が伸びきったときの衝撃を小さくする。
【００１８】
したがって、板ばね４の湾曲度合いを大きくすれば、板ばね４の弾性力が作用する距離を長くできるので、照明器具１０の落下時の衝撃をさらに小さくすることができる。
【００１９】
また、板ばね４は、ワイヤー１にかかる衝撃荷重よりもばね限界値が小さい。したがって、板ばね４は、ワイヤー１にかかる衝撃荷重によって、ばね限界値を超え、塑性域に達し、塑性変形し、延びきった状態となり、復元力を失う。そのため、照明器具１０は、跳ね返ることなく、ワイヤー１にぶら下がった状態に維持される。そして、ワイヤー１及び板ばね４の張力は、機器が落下したときにワイヤー１にかかる衝撃荷重よりも大きいので、照明器具１０が落下することもない。
【００２０】
ところで、ワイヤー１にかかる衝撃荷重よりもばね限界値が大きいコイルばねを用いた従来の落下防止装置においても、ワイヤー１にかかる衝撃荷重によってコイルばねが延びて照明器具１０の落下速度を緩めることができる。しかし、コイルばねを用いた従来の落下防止装置においては、元に戻ろうとする復帰力が発生し、照明器具１０が天井方向に跳ね戻される。照明器具１０の落下が地震に起因するものである場合、地震の揺れによっては、照明器具１０が元の位置よりも高い位置まで跳ね返されることがあり、天井９に衝突して破損することがあった。
【００２１】
本発明の実施形態に係る落下防止装置では、既述したようにワイヤー１にかかる衝撃荷重よりもばね限界値が小さい板ばね４を用いているので、ワイヤー１にかかる衝撃荷重によって、板ばね４が塑性変形し、延びきった状態となり、復元力を失う。そのため、照明器具１０が跳ね返されることがなくなり、従来のようなばねの復元力に起因する損傷はなくなる。
【００２２】
なお、前述の実施形態では本発明の落下防止装置を照明器具１０に用いたものを例に挙げて説明したが、これに限るものでなく、例えばスピーカーのように室内の高所に設置されることの多い他の機器にも本発明を適用できることは言うまでもない。
【符号の説明】
【００２３】
１  ワイヤー、２ａ，２ｂ  クランプ管、３ａ，３ｂ  輪、４  板ばね、４ａ，４ｂ  平坦部、４ｃ  曲面、５ａ，５ｂ  通し孔、６ａ，６ｂ  連結具、７  支持具、８ａ，８ｂ  スリーブ、９  天井、１０  照明器具（機器）、１１  ワイヤー連結孔、１２  取付用腕、１３  基板ボックス。
【図１】
2014229380.tif 000003
【図２】
2014229380.tif 000004
【図３】
2014229380.tif 000005
【図４】
2014229380.tif 000006
【図５】
2014229380.tif 000007